(57)【要約】【課題】反転状態で装着された場合でも良好な光学補正を行うことが可能な交換レンズ及びそれを用いた撮像装置を提供すること。【解決手段】交換レンズ１００には、電気接点１０２及び１０４が設けられている。交換レンズ１００は、電気接点１０２を撮像装置２００に向けた通常状態でも電気接点１０４を撮像装置２００に向けた反転状態でも装着可能に構成されている。また、交換レンズ１００のレンズ特性情報記憶部１１４には、通常状態用のレンズ特性情報と反転状態用のレンズ特性情報の両方が記憶されている。レンズ制御部１１６は、交換レンズ１００が通常状態で装着されている場合には通常状態用のレンズ特性情報を撮像装置２００に送信し、交換レンズ１００が反転状態で装着されている場合には反転状態用のレンズ特性情報を撮像装置２００に送信する。【選択図】図２
2014085525.tif 000002
【特許請求の範囲】
【請求項１】
撮影光軸方向に対して垂直をなすように互いに対向して配置される第１の面と第２の面とを有し、前記第１の面と前記第２の面とのそれぞれに電気接点が設けられ、前記第１の面を撮像装置に向けた通常状態で前記撮像装置に対して通信自在に装着されるとともに、前記第２の面を前記撮像装置に向けた反転状態で前記撮像装置に対して通信自在に装着されるように構成されたレンズ本体と、
前記レンズ本体の内部に設けられた撮影レンズと、
当該交換レンズが前記通常状態で装着されたか又は前記反転状態で装着されたかを判定する判定部と、
当該交換レンズが前記通常状態で装着されていると判定された場合と前記反転状態で装着されていると判定された場合とで異なる制御用パラメータを前記撮像装置に送信するレンズ制御部と、
を具備することを特徴とする交換レンズ。
【請求項２】
前記制御用パラメータは、前記撮影レンズの駆動方向の情報、収差補正に関する情報、シェーディング補正に関する情報の少なくとも何れかを含むことを特徴とする請求項１に記載の交換レンズ。
【請求項３】
手動操作により、前記撮影レンズの駆動量と駆動方向の指示を前記レンズ制御部に対して与える手動操作部材をさらに具備し、
前記レンズ制御部は、前記手動操作による操作方向に応じた駆動方向及び操作量に応じた駆動量で前記撮影レンズを駆動させるとともに、前記交換レンズが前記通常状態で装着されていると判定された場合と前記反転状態で装着されていると判定された場合とで前記操作方向に応じた駆動方向を逆転させることを特徴とする請求項１又は２に記載の交換レンズ。
【請求項４】
前記交換レンズが前記通常状態で装着されている場合に前記第２の面にアクセサリが装着され、前記交換レンズが前記反転状態で装着されている場合に前記第１の面にアクセサリが装着されることを特徴とする請求項１乃至３の何れか１項に記載の交換レンズ。
【請求項５】
請求項１乃至４の何れか１項に記載の交換レンズを装着可能に構成された撮像装置。
【請求項６】
前記交換レンズが前記通常状態で装着されているか又は前記反転状態で装着されているかを通知する通知部をさらに具備することを特徴とする請求項５に記載の撮像装置。
【請求項７】
前記通知部は、前記交換レンズが前記通常状態で装着されている場合に撮影可能な撮影範囲内に現在の撮影距離がない場合又は前記交換レンズが前記反転状態で装着されている場合に撮影可能な距離範囲内に現在の撮影距離がない場合に前記交換レンズを反転して装着する旨を通知することを特徴とする請求項５又は６に記載の撮像装置。
【発明の詳細な説明】
【技術分野】
【０００１】
本発明は、交換レンズ及びそれを用いた撮像装置に関する。
【背景技術】
【０００２】
一般の撮影レンズは遠距離を基準にして設計されていることが多いので、特にマクロ撮影のような至近距離の被写体の撮影時に光学性能が悪化し易い。マクロレンズのような特別なレンズを用いることなく良好な光学性能で接写を可能とするための技術として、リバースアダプタと呼ばれるアダプタにより、交換レンズを反転状態で装着することでマクロ撮影時の光学性能を向上させることが行われている（例えば、特許文献１参照）。リバースアダプタを用いてマクロ撮影を行う場合には、焦点距離の短い撮影レンズを装着するほど、高倍率の撮影に有利になる。
【先行技術文献】
【特許文献】
【０００３】
【特許文献１】特開平５−１４２６３６号公報
【発明の概要】
【発明が解決しようとする課題】
【０００４】
ところで、交換レンズを反転状態で装着した場合、交換レンズを通常状態で装着した場合とは異なる光学補正を行う必要が生じる。しかしながら、特許文献１には、交換レンズを通常状態で装着した場合と反転状態で装着した場合との間での異なる光学補正について特に言及されていない。
【０００５】
本発明は、前記の事情に鑑みてなされたもので、反転状態で装着された場合でも良好な光学補正を行うことが可能な交換レンズ及びそれを用いた撮像装置を提供することを目的とする。
【課題を解決するための手段】
【０００６】
前記の目的を達成するために、本発明の第１の態様の交換レンズは、撮影光軸方向に対して垂直をなすように互いに対向して配置される第１の面と第２の面とを有し、前記第１の面と前記第２の面とのそれぞれに電気接点が設けられ、前記第１の面を撮像装置に向けた通常状態で前記撮像装置に対して通信自在に装着されるとともに、前記第２の面を前記撮像装置に向けた反転状態で前記撮像装置に対して通信自在に装着されるように構成されたレンズ本体と、前記レンズ本体の内部に設けられた撮影レンズと、当該交換レンズが前記通常状態で装着されたか又は前記反転状態で装着されたかを判定する判定部と、当該交換レンズが前記通常状態で装着されていると判定された場合と前記反転状態で装着されていると判定された場合とで異なる制御用パラメータを前記撮像装置に送信するレンズ制御部と、を具備することを特徴とする。
【０００７】
また、前記の目的を達成するために、本発明の第２の態様の撮像装置は、第１の態様の交換レンズが装着可能であることを特徴とする。
【発明の効果】
【０００８】
本発明によれば、反転状態で装着された場合でも良好な光学補正を行うことが可能な交換レンズ及びそれを用いた撮像装置を提供することができる。
【図面の簡単な説明】
【０００９】
【図１】本実施形態に係る交換レンズ及び撮像装置の外観を示す概略図である。
【図２】交換レンズ及び撮像装置の詳細な構成を示すブロック図である。
【図３】撮影レンズの構成例を示す図である。
【図４】図４（ａ）は交換レンズが通常状態で装着された場合の被写体とその像の結像関係を示す図であり、図４（ｂ）は交換レンズが反転状態で装着された場合の被写体とその像の結像関係を示す図である。
【図５】撮像装置の動作を示すフローチャートである。
【図６】図６（ａ）は交換レンズが通常状態で装着されていることをユーザに通知する際の表示例であり、図６（ｂ）は交換レンズが反転状態で装着されていることをユーザに通知する際の表示例である。
【図７】図７（ａ）は交換レンズが反転状態で装着されているときにおいて交換レンズの反転をユーザに通知する際の表示例であり、図７（ｂ）は交換レンズが通常状態で装着されているときにおいて交換レンズの反転をユーザに通知する際の表示例である。
【図８】交換レンズの動作を示すフローチャートである。
【発明を実施するための形態】
【００１０】
以下、図面を参照して本発明の実施形態を説明する。  
図１は、本実施形態に係る交換レンズ１００及び撮像装置２００の外観を示す概略図である。
【００１１】
本実施形態に係る交換レンズ１００は、略円筒状のレンズ本体１００ａを有している。レンズ本体１００ａの内部には撮影レンズが設けられている。また、略円筒状のレンズ本体１００ａの、図示一点鎖線で示す撮影レンズの撮影光軸に対して垂直な２つの面には電気接点１０２、１０４が形成されている。以下の説明では、電気接点１０２が形成されている面を第１の面とし、電気接点１０４が形成されている面を第２の面として説明を続ける。
【００１２】
図１に示すように、交換レンズ１００は、第１の面を撮像装置２００に向けた通常状態で撮像装置２００に装着することが可能に構成されている。一方で、交換レンズ１００は、通常状態から１８０度反転させた状態、即ち第２の面を撮像装置２００に向けた反転状態で撮像装置２００に装着することも可能に構成されている。交換レンズ１００が通常状態で撮像装置２００に装着された場合には、交換レンズ１００に形成された電気接点１０２と撮像装置２００のレンズマウント部に設けられた電気接点２０２を介して交換レンズ１００と撮像装置２００とが通信自在に接続される。また、交換レンズ１００が反転状態で撮像装置２００に装着された場合には、交換レンズ１００に形成された電気接点１０４と撮像装置２００のレンズマウント部に設けられた電気接点２０２を介して交換レンズ１００と撮像装置２００とが通信自在に接続される。本実施形態の交換レンズ１００は、通常状態で撮像装置２００に装着された場合には標準距離用のズームレンズとして機能し、反転状態で撮像装置２００に装着された場合には至近距離用のマクロ撮影用のレンズとして機能する。詳細については後で説明する。
【００１３】
また、交換レンズ１００の撮像装置２００が装着されていない方の面には、アクセサリ３００を装着することが可能である。アクセサリ３００に電気接点が設けられている場合には、アクセサリ３００が交換レンズ１００に装着された場合に電気接点１０２又は１０４とアクセサリ３００に設けられた電気接点３０２とを介して交換レンズ１００とアクセサリ３００とが通信自在に接続される。ここで、アクセサリ３００としては、例えばＰＬフィルタ（Polarizing filter；偏光フィルタ）３００ａ、ＮＤフィルタ（Neutral Density filter；減光フィルタ）、各種のカラーフィルタ、マクロ撮影用ライト３００ｂが装着される。ここで、ＰＬフィルタやＮＤフィルタは、撮影レンズの光軸中心に回転されることによって光学特性が変更可能に構成されていても良い。このような回転操作によって光学特性が偏光可能なＰＬフィルタやＮＤフィルタの場合において、回転操作量を記録できるようにしても良い。
【００１４】
図２は、交換レンズ１００及び撮像装置２００の詳細な構成を示すブロック図である。なお、図２は、交換レンズ１００が順付け状態で撮像装置２００に装着されている例を示している。また、交換レンズ１００には、アクセサリ３００が装着されている。
【００１５】
交換レンズ１００は、電気接点１０２及び１０４と、撮影レンズ１０６と、レンズ駆動部１０８と、レンズ位置検出部１１０と、初期位置記憶部１１２と、レンズ特性記憶部１１４と、レンズ制御部１１６と、フォーカスリング１１８と、ズームリング１２０と、回転検出部１２２及び１２４と、通信部１２６及び１２８とを有している。
【００１６】
撮影レンズ１０６は、図示しない被写体の光像を生成し、生成した光像を撮像装置２００に設けられた撮像部２０４に結像させる。撮影レンズ１０６の詳細については後で説明する。
【００１７】
レンズ駆動部１０８は、レンズ制御部１１６からの制御信号に従って撮影レンズ１０６を構成するレンズ群のうち、可動なレンズ群をその光軸方向に沿って駆動する。レンズ駆動部１０８は、モータ等の駆動機構と、この駆動機構を駆動する駆動回路とを有している。
【００１８】
レンズ位置検出部１１０は、撮影レンズ１０６を構成するレンズ群のうち、可動なレンズ群のレンズ位置を検出する。レンズ位置検出部１１０は、例えばエンコーダやフォトインタラプタ（ＰＩ）により構成されている。
【００１９】
初期位置記憶部１１２は、撮影レンズ１０６を構成するレンズ群のうち、可動なレンズ群のそれぞれの初期位置情報を記憶している。ここで、初期位置記憶部１１２は、通常状態用の初期位置情報と反転状態用の初期位置情報の両方を記憶している。
【００２０】
レンズ特性記憶部１１４は、撮影レンズ１０６の焦点距離、Ｆナンバー、収差補正情報、シェーディング補正情報といった撮影レンズ１０６のレンズ特性情報を制御パラメータとして記憶している。ここで、レンズ特性記憶部１１４は、通常状態用のレンズ特性情報と反転状態用のレンズ特性情報の両方を記憶している。
【００２１】
レンズ制御部１１６は、通信部１２６を介して撮像装置２００の制御部２１６と通信自在に接続されるとともに、通信部１２８を介してアクセサリ３００とも接続される。レンズ制御部１１６は、制御部２１６の制御に従って、レンズ駆動部１０８を制御する。また、レンズ制御部１１６は、レンズ駆動に伴ってレンズ位置検出部１１０で検出されたレンズ位置、並びにレンズ特性記憶部１１４に記憶されているレンズ特性情報を撮像装置２００に送信することも行う。さらに、レンズ制御部１１６は、通信部１２８を介してアクセサリ３００と通信することにより、アクセサリ３００の特性情報を取得したり、アクセサリ３００の動作制御をすることも行う。さらに、レンズ制御部１１６は、判定部１１６ａとしての機能も有しており、交換レンズ１００が撮像装置２００に通常状態で装着されているか又は反転状態で装着されているかを判定する。
【００２２】
フォーカスリング１１８は、ユーザが手動で撮影レンズ１０６の焦点位置を調節するための回転自在に構成された操作部材である。マニュアルフォーカスモードにおいてユーザがフォーカスリング１１８を回転させた場合、レンズ制御部１１６は、フォーカスリング１１８の回転方向及び回転量に応じてレンズ駆動部１０８を制御する。ズームリング１２０は、ユーザが手動で撮影レンズ１０６の焦点距離を調節するための回転自在に構成された操作部材である。マニュアルズームモードにおいてユーザがズームリング１２０を回転させた場合、レンズ制御部１１６は、ズームリング１２０の回転方向及び回転量に応じてレンズ駆動部１０８を制御する。
【００２３】
回転検出部１２２は、例えばロータリエンコーダで構成され、フォーカスリング１１８の回転方向及び回転量を検出し、検出した回転方向及び回転量に応じた信号をレンズ制御部１１６に入力する。レンズ制御部１１６は、この信号に応じてフォーカスリング１１８の操作を認識する。回転検出部１２４は、例えばロータリエンコーダで構成され、ズームリング１２０の回転方向及び回転量を検出し、検出した回転方向及び回転量に応じた信号をレンズ制御部１１６に入力する。レンズ制御部１１６は、この信号に応じてズームリング１２０の操作を認識する。
【００２４】
通信部１２６は、電気接点１０２と接続されている。通信部１２６は、レンズ制御部１１６が電気接点１０２を介して撮像装置２００又はアクセサリ３００と通信するための交換レンズ１００側のインターフェイスである。通信部１２８は、電気接点１０４と接続されている。通信部１２８は、レンズ制御部１１６が電気接点１０４を介して撮像装置２００又はアクセサリ３００と通信するための交換レンズ１００側のインターフェイスである。
【００２５】
また、撮像装置２００は、電気接点２０２と、撮像部２０４と、顔検出部２０６と、記録部２０８と、表示部２１０と、操作部２１２と、タッチパネル２１４と、制御部２１６と、振動検出部２１８と、通信部２２０とを有している。
【００２６】
撮像部２０４は、撮像素子及びＡ/Ｄ変換回路を有している。撮像素子は、画素としての光電変換素子が２次元状に配置された受光面を有して構成されている。それぞれの画素は、撮影レンズ１０６を介して結像された被写体の像を電気信号（画像信号）に変換する。ここで、撮像素子としては、例えばＣＣＤ素子及びＣＭＯＳ素子が知られているが、本実施形態では特定の構造の撮像素子を用いる必要はない。Ａ/Ｄ変換部は、撮像素子で得られた画像信号を、デジタル信号としての画像データに変換する。このような撮像部２０４の撮像動作は、撮像制御部２１６ａとしての機能を有する制御部２１６によって制御される。
【００２７】
顔検出部２０６は、撮像部２０４で得られた画像データにおける顔部を検出する。顔部の検出手法は、特徴量マッチング等の周知の手法を用いることができる。また、顔検出部２０６に個人別の顔部の特徴量を予め記憶させておくことにより、特定の個人の顔部を検出するようにしても良い。
【００２８】
記録部２０８は、制御部２１６に設けられている画像処理部２１６ｂによって処理された画像データから生成される画像ファイル（静止画ファイル又は動画ファイル）を記録する。記録部２０８は、例えば撮像装置２００の本体に対して着脱自在なメモリカードで構成されている。記録部２０８を撮像装置２００に内蔵させるようにしても良い。
【００２９】
通知部の一例として機能する表示部２１０は、画像処理部２１６ｂによって処理された画像データに基づく画像等の各種の画像を表示する。表示部２１０は、例えば液晶ディスプレイで構成されている。
【００３０】
操作部２１２は、ユーザが撮像装置２００の各種の操作を行うための複数の操作部材を有して構成されている。操作部材としては、レリーズボタン、動画ボタン、モードダイアル、電源ボタン、ズームスイッチ等が含まれる。レリーズボタンは、ユーザが撮像装置に対して静止画撮影開始の指示をするための操作部材である。このレリーズボタンは、半押しされることによってオートフォーカス（ＡＦ）の指示を制御部２１６に対して与え、全押しされることによって静止画記録動作の指示を制御部２１６に対して与える。動画ボタンは、ユーザが撮像装置に対して動画記録開始及び終了の指示をするための操作部材である。モードダイアルは、ユーザが撮像装置２００に対して動作モード等の設定の指示をするための操作部材である。電源ボタンは、ユーザが撮像装置２００に対して電源のオン又はオフを指示するための操作部材である。ズームスイッチは、ユーザがズーム駆動を指示するための操作部材である。
【００３１】
タッチパネル２１４は、表示部２１０の表示画面上に一体的に形成されており、表示画面上へのユーザの指等の接触位置等の情報を制御部２１６に対して与える。
【００３２】
制御部２１６は、操作部２１２やタッチパネル２１４の操作等に応じて、撮像装置２００の各ブロックの動作を制御する。この制御部２１６は、撮像制御部２１６ａを有し、撮像部２０４による撮像動作、撮影レンズ１０６の焦点調節の際のレンズ駆動等を制御する。また、制御部は、画像処理部２１６ｂを有し、画像データに対して画像処理を施す。画像処理部２１６ｂが施す画像処理は、シェーディング補正、歪曲収差補正、ホワイトバランス補正処理及びγ補正処理等の画像データに対応した画像を表示部２１０に表示させたり記録したりするために必要な各種の処理、並びに圧縮処理、伸張処理等が含まれる。さらに、制御部２１６は、記憶部２１６ｃを有し、画像処理部２１６ｂにおける処理データ等の各種のデータを一時記憶する。
【００３３】
振動検出部２１８は、例えば３軸の加速度センサであり、撮像装置２００の本体に発生した振動を検出する。制御部２１６は、この振動に応じて手ぶれ補正を行う。
【００３４】
通信部２２０は、電気接点２０２と接続されている。通信部１２６は、制御部２１６が電気接点２０２を介して交換レンズ１００と通信するための撮像装置２００側のインターフェイスである。
【００３５】
図３は、撮影レンズ１０６の構成例を示す図である。図３には、図２で示したレンズ駆動部１０８を構成するモータＭ１、Ｍ２、Ｍ３、及び送りネジＳ１、Ｓ２、Ｓ３と、レンズ位置検出部１１０を構成するリニアエンコーダＬＥ、フォトインタラプタＰＩ及び遮光板ＬＳも併せて図示している。
【００３６】
図３の撮影レンズ１０６は、５群のレンズ群を有する。以下の説明においては、図３に示す５群のレンズ群のうち、最も被写体側に位置するレンズを第１群のレンズＧ１とし、像側に向かって順に、第２群のレンズＧ２、第３群のレンズＧ３、第４群のレンズＧ４とし、最も像側に位置するレンズを第５群のレンズＧ５とする。
【００３７】
図３の例では、第１群のレンズＧ１と第５群のレンズＧ５とは固定されている。第２群のレンズＧ２は、モータＭ１と送りネジＳ１で駆動される。モータＭ１は、例えばボイスコイルモータ（ＶＣＭ）であり、第２群のレンズＧ２の位置は磁気センサで検出される。第２群のレンズＧ２は、焦点位置調節用のレンズ群として機能する。なお、近年のコントラストＡＦでは、撮影レンズ１０６の焦点位置を振動的に変更するウォブリングを行うことがある。このようなウォブリングを可能とするためには、第２群のレンズＧ２は、軽量であることが望ましい。
【００３８】
第３群のレンズＧ３はモータＭ２と送りネジＳ２で駆動され、第４群のレンズＧ４はモータＭ３と送りネジＳ３で駆動される。第３群のレンズＧ３と第４群のレンズＧ４とは、焦点距離を変更しつつ、焦点距離の変更に伴う収差を補正する変倍・収差補正レンズ群７２として機能する。モータＭ２及びモータＭ３は、例えばステッピングモータである。また、第３群のレンズＧ３と第４群のレンズＧ４とは、バネＳによって付勢されている。バネＳは、第３群のレンズＧ３と第４群のレンズＧ４の移動の際のがたつきを抑制するために設けられている。
【００３９】
また、第３群のレンズＧ３には、リニアエンコーダＬＥが設けられており、第３群のレンズＧ３の位置は、リニアエンコーダＬＥによって検出される。第４群のレンズＧ４には、遮光板ＬＳとフォトインタラプタＰＩとが設けられており、第４群のレンズＧ４の位置は、遮光板ＬＳとフォトインタラプタＰＩとによって検出される。
【００４０】
図３に示す例の撮影レンズ１０６では、第１群のレンズＧ１、第２群のレンズＧ２、及び第５群のレンズＧ５に対する第３群のレンズＧ３と第４群のレンズＧ４の位置を調節することによって変倍を行う。また、第３群のレンズＧ３と第４群のレンズＧ４との間隔を調節することによって球面収差や色収差等の収差を補正する。さらに、第２群のレンズＧ２により、焦点位置を調節する。
【００４１】
ここで、図３で示す撮影レンズ１０６は、交換レンズ１００が撮像装置２００に通常状態で装着されている場合に被写体とその像が図４（ａ）で示すような結像関係となり、交換レンズ１００が撮像装置２００に反転状態で装着されている場合に被写体とその像が図４（ｂ）で示すような結像関係となる。
【００４２】
通常状態においては、第３群のレンズＧ３及び第４群のレンズＧ４を被写体側（図で示すＴ側）に駆動した場合に、高倍率の（画角の狭い）ズーム駆動となる。一方、第３群のレンズＧ３及び第４群のレンズＧ４を像側（図で示すＷ側）に駆動した場合に、低倍率の（画角の広い）ズーム駆動となる。さらに、第３群のレンズＧ３及び第４群のレンズＧ４が所定のマクロ位置に配置されると、至近距離の被写体を撮影可能なマクロ撮影の状態となる。
【００４３】
ここで、撮影レンズ１０６の前側焦点距離と後側焦点距離とは、物理的には等しくなっている。したがって、第３群のレンズＧ３及び第４群のレンズＧ４が同じ位置にあれば、通常状態であっても反転状態であっても撮影レンズ１０６の全体としての焦点距離は変わらない。ただし、撮影レンズ１０６の主点は、通常状態よりも反転状態のほうが被写体側に位置することとなる。つまり、反転状態の場合には、第３群のレンズＧ３と第４群のレンズＧ４の位置が通常状態と同じであっても、通常状態の場合よりも近距離の被写体に対して合焦可能となる。そして、反転状態の場合は、通常状態とは逆に、第３群のレンズＧ３と第４群のレンズＧ４とを像側（図で示すＴ側）に駆動した場合に、より近距離の撮影が可能となる。これにより、通常状態のマクロ撮影の場合よりもさらに近距離の撮影が可能となる。
【００４４】
ここで、通常の撮影レンズは、無限遠を基準として合焦するように設計されている。このような無限遠を合焦の基準として設計された撮影レンズを反転させた場合には、無限遠相当（略焦点距離）でしか、合焦させることができない。したがって、反転状態の場合は、通常状態の無限遠相当のレンズ位置（図４（ｂ）のＴ側の端部位置）の付近で使用することが望ましい。
【００４５】
図３は、撮影レンズ１０６が可変焦点距離のレンズ（ズームレンズ）の例を示しているが、本実施形態の技術は、単焦点のレンズに対しても適用可能である。単焦点のレンズの場合には、ズームレンズの場合と同様に焦点距離が短い程（屈折力が高い程）、より近距離でのマクロ撮影が可能となる。
【００４６】
以下、本実施形態に係る交換レンズ１００及び撮像装置２００の動作について説明する。  
まず、撮像装置２００の動作を、図５を参照して説明する。制御部２１６は、ステップＳ１０１において、撮像装置２００の動作モードが撮影モードであるか否かを判定する。撮影モードであると判定されたとき、処理がステップＳ１０２に進む。制御部２１６は、ステップＳ１０２において、レンズ交換がされたか否かを判定する。例えば、交換レンズ１００から新たな制御パラメータが送信されてきた場合に、レンズ交換がされたと判定する。レンズ交換がされたと判定されたとき、処理がステップＳ１０３に進む。また、レンズ交換がされていないと判定されたとき、処理がステップＳ１０４に進む。
【００４７】
制御部２１６は、ステップＳ１０３において、交換レンズ１００から新たに送信されてきた制御パラメータを読み込み、読み込んだ制御パラメータを記憶部２１６ｃに記憶させる。前述したように、制御パラメータは、レンズ特性記憶部１１４に記憶されている、撮影レンズ１０６の焦点距離、Ｆナンバー、収差補正情報、シェーディング補正情報といった情報である。さらに、制御部２１６は、他の制御パラメータとして、撮影レンズ１０６を構成する各レンズ群の位置情報、交換レンズ１００が通常状態で装着されているか否かを示す情報、また、交換レンズ１００にアクセサリ３００が装着されている場合にはアクセサリ３００から交換レンズ１００に送信されてくるアクセサリ情報も取得する。
【００４８】
制御部２１６は、ステップＳ１０４において、撮像制御部２１６ａを制御して撮像部２０４を起動してスルー画表示用の画像データを取得する。画像データの取得後、制御部２１６の画像処理部２１６ｂは、ステップＳ１０５において、シェーディング補正情報に従ってシェーディング補正を行う。シェーディング補正とは、撮影レンズ１０６の特性等に起因して生じる画像の周辺光量の低下を補正する処理である。例えば、撮影レンズ１０６の口径が変われば周辺光量の低下量が変化する。また、本実施形態の場合には、交換レンズ１００が通常状態で装着されているか又は反転状態で装着されているかによって周辺光量の低下量が変化する。具体的には、交換レンズ１００が反転状態で装着されている場合のほうが周辺光量の低下量が大きくなる。したがって、交換レンズ１００が反転状態で装着されている場合には、交換レンズ１００が通常状態で装着されている場合よりもシェーディング補正の補正量を大きくする必要があり、交換レンズ１００が通常状態で装着されているか又は反転状態で装着されているかに応じて異なるシェーディング補正情報を取得する必要がある。
【００４９】
画像処理部２１６ｂは、ステップＳ１０６において、収差補正情報に従って歪曲収差補正を行う。歪曲収差補正とは、撮影レンズ１０６の歪曲収差に起因して生じる画像の歪みを補正する処理である。本実施形態の場合には、交換レンズ１００が通常状態で装着されているか又は反転状態で装着されているかによって歪曲収差が異なるので、交換レンズ１００が通常状態で装着されているか又は反転状態で装着されているかに応じた適切な歪曲収差補正を行うために、収差補正情報を取得する。
【００５０】
画像処理部２１６ｂは、ステップＳ１０７において、ホワイトバランス補正やガンマ補正等の一般的なスルー画表示用の画像処理を行う。スルー画表示用の画像処理の後、制御部２１６は、ステップＳ１０８において、画像処理部２１６ｂによって処理された画像データに基づいて表示部２１０にスルー画表示を行わせる。
【００５１】
スルー画表示の後、制御部２１６は、ステップＳ１０９において、交換レンズ１００から読み取った情報から、交換レンズ１００が通常状態で装着されているか否かを判定する。交換レンズ１００が通常状態で装着されているとき、処理がステップＳ１１０に進む。交換レンズ１００が反転状態で装着されているとき、処理がステップＳ１１１に進む。
【００５２】
制御部２１６は、ステップＳ１１０において、交換レンズ１００が通常状態で装着されている旨を、例えば図６（ａ）に示すようにして表示部２１０に表示させることでユーザに通知する。また、制御部２１６は、ステップＳ１１１において、交換レンズ１００が反転状態で装着されている旨を、例えば図６（ｂ）に示すようにして表示部２１０に表示させることでユーザに通知する。なお、ここでは、表示部２１０への表示によってユーザに通知しているが、音声等で通知するようにしても良い。
【００５３】
制御部２１６は、ステップＳ１１２において、マクロ域の撮影をする状態か否かを判定する。この判定において、交換レンズ１００が通常状態で装着されていて第３群のレンズＧ３及び第４群のレンズＧ４がマクロ位置にある場合、又は交換レンズ１００が反転状態で装着されている場合に、マクロ域の撮影をする状態と判定する。マクロ域の撮影をする状態と判定されていないとき、処理がステップＳ１１３に進む。マクロ域の撮影をする状態と判定されたとき、処理がステップＳ１１４に進む。
【００５４】
制御部２１６は、ステップＳ１１３において、顔検出部２０６に顔検出を実行させる。つまり、本実施形態においては、マクロ域の撮影をする状態であると判定されたときには、顔検出を実行しない。マクロ撮影は、通常、人物の顔を撮影するときには用いられないためである。
【００５５】
制御部２１６は、ステップＳ１１４において、ユーザにより、レリーズボタンが半押しされたか否かを判定する。レリーズボタンが半押しされたと判定されたとき、処理がステップＳ１１５に進む。レリーズボタンが半押しされていないと判定されたとき、処理がステップＳ１１８に進む。
【００５６】
制御部２１６は、ステップＳ１１５において、ＡＥ制御及びＡＦ制御を行う。ＡＥ制御において、制御部２１６は、スルー画表示中に撮像部２０４を介して得られる画像データから被写体（例えば顔）の輝度を検出する。この被写体の輝度に従って、制御部２１６は、被写体の輝度を最適にするための撮像部２０４の露出条件を決定する。なお、被写体輝度は、専用のセンサによって検出しても良い。また、ＡＦ制御において、制御部２１６は、交換レンズ１００の第２群のレンズＧ２の移動指示をレンズ制御部１１６に対して行いつつ、撮像部２０４を介して得られる画像データからコントラスト値を取得し、このコントラスト値に基づいて合焦を評価する。そして、制御部２１６は、コントラスト値が最大となる位置で第２群のレンズＧ２を停止させる。なお、交換レンズ１００が通常状態で装着されている場合と反転状態で装着されている場合とでは、コントラスト値の変化に伴う第２群のレンズＧ２の駆動方向が逆転する。また、ここでは、コントラスト方式のＡＦ制御を示したが、位相差検出方式のＡＦ制御を行うようにしても良い。
【００５７】
制御部２１６は、ステップＳ１１６において、補助光の発光が必要で且つ補助光の発光が可能であるか否かを判定する。ここでの補助光は、マクロ撮影用の補助光である。この判定において、被写体の輝度が所定値よりも低い場合に補助光の発光が必要であると判定する。また、この判定においては交換レンズ１００との通信により、アクセサリ３００としてマクロ撮影用ライト３００ｂが装着されているか否かも判定する。マクロ撮影用ライト３００ｂが装着されていない場合には、補助光の発光が不能であると判定する。補助光の発光が必要で且つ補助光の発光が可能であると判定されたとき、処理がステップＳ１１７に進む。補助光の発光が不要な場合又は補助光の発光が不能であるときに、処理がステップＳ１１８に進む。なお、補助光の発光が不能である場合にはその旨をユーザに通知するようにしても良い。
【００５８】
制御部２１６は、ステップＳ１１７において、レンズ制御部１１６に対し、アクセサリ３００として装着されているマクロ撮影用ライト３００ｂの発光を指示する。
【００５９】
制御部２１６は、ステップＳ１１８において、現在、交換レンズ１００が反転状態で装着されているか否かを判定する。交換レンズ１００が反転状態で装着されていると判定されたとき、処理がステップＳ１１９に進む。交換レンズ１００が反転状態で装着されていない、即ち通常状態で装着されていると判定されたとき、処理がステップＳ１２１に進む。
【００６０】
制御部２１６は、ステップＳ１１９において、現在の撮影距離が至近範囲外であるか否かを判定する。ここでの至近範囲とは、交換レンズ１００が反転状態で装着されている場合に撮影可能（被写体に合焦させることが可能）な撮影距離の範囲を示す。現在の撮影距離が至近範囲外であると判定されたとき、処理がステップＳ１２０に進む。現在の撮影距離が至近範囲内であると判定されたとき、処理がステップＳ１２３に進む。
【００６１】
制御部２１６は、ステップＳ１２０において、レンズ反転警告１を行う。ステップＳ１２０は、交換レンズ１００が反転状態で装着されているにも関わらず、ユーザが通常撮影を行おうとしている場合である。このような場合には、レンズ反転警告１として、図７（ａ）で示すように、交換レンズ１００を反転して装着するようにユーザに促す表示を行う。
【００６２】
制御部２１６は、ステップＳ１２１において、現在の撮影距離が通常撮影の至近限界よりも近距離であるか否かを判定する。至近限界とは、交換レンズ１００が通常状態で装着されている場合に撮影可能（被写体に合焦させることが可能）な最短の距離を示す。現在の撮影距離が通常撮影の至近限界よりも近距離であると判定されたとき、処理がステップＳ１２２に進む。現在の撮影距離が通常撮影の至近限界よりも近距離でないと判定されたとき、処理がステップＳ１２３に進む。
【００６３】
制御部２１６は、ステップＳ１２２において、レンズ反転警告２を行う。ステップＳ１２２は、交換レンズ１００が通常状態で装着されているにも関わらず、ユーザが超近距離でのマクロ撮影を行おうとしている場合である。このような場合には、レンズ反転警告２として、図７（ｂ）で示すように、交換レンズ１００を反転して装着するようにユーザに促す表示を行う。
【００６４】
ここで、ステップＳ１２０及びＳ１２２では、文字表示による警告を行っているが、必ずしも文字表示による警告を行う必要はない。例えば、音声による警告を行っても良い。
【００６５】
制御部２１６は、ステップＳ１２３において、ユーザにより、レリーズボタンが全押しされたか否かを判定する。レリーズボタンが全押しされたと判定されたとき、処理がステップＳ１２４に進む。レリーズボタンが半押しされていないと判定されたとき、処理がステップＳ１２７に進む。
【００６６】
制御部２１６は、ステップＳ１２４において、手振れ補正を行う。手振れ補正は、通常撮影時とマクロ撮影時とで異なる制御パラメータに従って行う。即ち、マクロ撮影時には、少しの補正で画角が大きく変動してしまうので、通常撮影時に比べて手振れ補正量を小さくする。なお、手振れ補正の手法は、公知の手振れ補正量に応じて撮像素子や撮影レンズを駆動する手法や、電子手振れ補正を用いることができる。
【００６７】
制御部２１６は、ステップＳ１２５において、静止画記録を行う。制御部２１６は、ステップＳ１１５のＡＥ動作時に決定された露出条件に従って撮像部２０４に静止画記録用の撮像動作を行わせる。静止画記録用の撮像動作の後、画像処理部２１６ｂは、撮像部２０４の撮像動作の結果として得られた画像データに対し、ホワイトバランス補正やガンマ補正、静止画用圧縮処理等の一般的な静止画記録用の画像処理を行う。静止画記録用の画像処理の後、制御部２１６は、圧縮処理された画像データに基づいて静止画ファイルを生成し、生成した静止画ファイルを記録部２０８に記録させる。
【００６８】
制御部２１６は、ステップＳ１２６において、撮影情報及びアクセサリ情報を静止画ファイルに記録する。撮影情報は、例えば静止画記録時の露出条件、顔検出位置等である。また、アクセサリ情報は、ステップＳ１０３において読み込まれた情報である。その詳細については後で説明する。
【００６９】
制御部２１６は、ステップＳ１２７において、現在、動画撮影中か否かを判定する。動画撮影中でないと判定されたとき、処理がステップＳ１２８に進む。動画撮影中と判定されたとき、処理がステップＳ１２９に進む。
【００７０】
制御部２１６は、ステップＳ１２８において、動画撮影を開始するか否かを判定する。この判定において、例えば動画ボタンが押された場合に、動画撮影を開始すると判定する。動画撮影を開始すると判定されたとき、処理がステップＳ１２９に進む。動画撮影を開始しないと判定されたとき、処理がステップＳ１０１に戻る。
【００７１】
制御部２１６は、ステップＳ１２９において、動画記録を行う。制御部２１６は、ステップＳ１１５のＡＥ動作時に決定された露出条件に従って撮像部２０４に動画記録用の撮像動作を行わせる。動画記録用の撮像動作の後、画像処理部２１６ｂは、撮像部２０４の撮像動作の結果として得られた画像データに対し、ホワイトバランス補正やガンマ補正、動画用圧縮処理等の一般的な動画記録用の画像処理を行う。動画記録用の画像処理の後、制御部２１６は、圧縮処理された画像データに基づいて動画ファイルを生成し、生成した動画ファイルを記録部２０８に記録させる。なお、動画ファイルが生成された後は、動画撮影が終了されたと判定されるまで、生成された動画ファイルに圧縮処理された画像データが追記される。
【００７２】
制御部２１６は、ステップＳ１３０において、動画撮影を終了するか否かを判定する。この判定において、例えば動画ボタンが再び押された場合に、動画撮影を終了すると判定する。動画撮影を終了すると判定されたとき、処理がステップＳ１３１に進む。動画撮影を終了しないと判定されたとき、処理がステップＳ１２９に戻る。
【００７３】
制御部２１６は、ステップＳ１３１において、撮影情報及びアクセサリ情報を静止画ファイルに記録する。撮影情報は、例えば動画記録時の露出条件、顔検出位置等である。また、アクセサリ情報は、ステップＳ１０３において読み込まれた情報である。その詳細については後で説明する。
【００７４】
制御部２１６は、ステップＳ１３２において、動作モードが再生モードであるか否かを判定する。動作モードが再生モードであると判定されたとき、処理がステップＳ１３３に進む。動画モードが再生モードでないと判定されたとき、処理がステップＳ１０１に戻る。
【００７５】
制御部２１６は、ステップＳ１３３において、記録部２０８に記録されている画像ファイルの一覧を表示部２１０に表示させる。制御部２１６は、ステップＳ１３４において、ユーザによって画像ファイルの選択がなされたか否かを判定する。画像ファイルの選択がなされたと判定されたとき、処理がステップＳ１３５に進む。画像ファイルの選択がなされていないと判定されたとき、処理がステップＳ１３２に戻る。
【００７６】
制御部２１６は、ステップＳ１３５において、ユーザにより選択された画像ファイルを再生する。再生処理において、制御部２１６は、ユーザにより選択された画像ファイルを記録部２０８から読み出し、読みだした画像ファイルを画像処理部２１６ｂに入力する。画像処理部２１６ｂは、入力された圧縮画像データを伸長する。制御部２１６は、伸長された画像データを表示部２１０に入力して画像の表示を行う。
【００７７】
制御部２１６は、ステップＳ１３６において、ユーザにより画像ファイルの再生終了が指示されたか否かを判定する。画像ファイルの再生終了が指示されたと判定されたとき、処理がステップＳ１０１に戻る。画像ファイルの再生終了が指示されていないと判定されたとき、処理がステップＳ１３２に戻る。
【００７８】
次に、交換レンズ１００の動作を、図８を参照して説明する。レンズ制御部１１６は、ステップＳ２０１において、交換レンズ１００が通常状態で撮像装置２００に装着されているか否かを判定する。この判定において、例えば電気接点１０２を介して撮像装置２００との通信が行えた場合に交換レンズ１００が通常状態で撮像装置２００に装着されていると判定する。また、例えば電気接点１０４を介して撮像装置２００との通信が行えた場合に交換レンズ１００が反転状態で撮像装置２００に装着されていると判定する。交換レンズ１００が通常状態で撮像装置２００に装着されていると判定されたとき、処理がステップＳ２０２に進む。交換レンズ１００が反転状態で撮像装置２００に装着されていると判定されたとき、処理がステップＳ２１５に進む。
【００７９】
レンズ制御部１１６は、ステップＳ２０２において、初期位置記憶部１１２から通常状態用の初期位置情報を読み取り、読み取った初期位置情報に従ってレンズ位置検出部１１０で検出されるレンズ位置を検出しながらレンズ駆動部１０８を制御することにより、第２群のレンズＧ２、第３群のレンズＧ３、及び第４群のレンズＧ４を初期位置に駆動する。ここで、各群のレンズの初期位置は、例えば通常状態の場合も反転状態の場合も無限遠に合焦する位置とする。このように初期位置を設定するのは、撮像装置２００の起動直後に表示されるスルー画が大きくぼけないようにするためである。前述したように、通常状態と反転状態とでは、像の結像関係が逆転するので、各群のレンズの初期位置も異なるものとなる。具体的には、反転状態の場合には、無限遠相当位置である、通常状態の至近側の位置が初期位置となる。
【００８０】
レンズ制御部１１６は、ステップＳ２０３において、通常状態用の制御パラメータ（撮影レンズ１０６の焦点距離、Ｆナンバー、収差補正情報、シェーディング補正情報等）を撮像装置２００に送信する。
【００８１】
レンズ制御部１１６は、ステップＳ２０４において、アクセサリ情報を撮像装置２００に送信する。アクセサリ３００としては、前述したように、ＰＬフィルタ、ＮＤフィルタ、カラーフィルタ、マクロ撮影用ライト等がある。アクセサリ情報としては、どのアクセサリが装着されているかを示す情報を送信する。また、ＰＬフィルタの中には、ユーザ操作によって偏光角が変更可能なものもある。したがって、アクセサリとしてＰＬフィルタが装着された場合には、そのときの偏光角を示す情報も撮像装置２００に送信する。偏光角の情報は、必要に応じて撮像装置２００の表示部２１０に表示させるようにしても良い。この他、アクセサリとしてＮＤフィルタが装着された場合には、そのときの減光量を示す情報も撮像装置２００に送信する。
【００８２】
レンズ制御部１１６は、ステップＳ２０５において、回転検出部１２２の出力から、ユーザによってフォーカスリング１１８が操作されたか否かを判定する。フォーカスリング１１８の操作がなされたと判定されたとき、処理がステップＳ２０６に進む。フォーカスリング１１８の操作がなされていないと判定されたとき、処理がステップＳ２０９に進む。
【００８３】
レンズ制御部１１６は、ステップＳ２０６において、操作方向が第１の方向（例えば反時計方向）であるか否かを判定する。操作方向が第１の方向であると判定されたとき、処理がステップＳ２０７に進む。操作方向が第２の方向であると判定されたとき、処理がステップＳ２０８に進む。
【００８４】
レンズ制御部１１６は、ステップＳ２０７において、レンズ駆動部１０８を制御して回転検出部１２２で検出されるフォーカスリング１１８の操作量に応じた駆動量だけ、撮影レンズ１０６の第２群のレンズＧ２を遠距離側に駆動させる。また、レンズ制御部１１６は、ステップＳ２０８において、レンズ駆動部１０８を制御して回転検出部１２２の操作量に応じた駆動量だけ、撮影レンズ１０６の第２群のレンズＧ２を近距離側に駆動させる。
【００８５】
レンズ制御部１１６は、ステップＳ２０９において、回転検出部１２４の出力から、ユーザによってズームリング１２０が操作されたか否かを判定する。ズームリング１２０の操作がなされたと判定されたとき、処理がステップＳ２１０に進む。ズームリング１２０の操作がなされていないと判定されたとき、処理がステップＳ２１３に進む。
【００８６】
レンズ制御部１１６は、ステップＳ２１０において、操作方向が第１の方向（例えば反時計方向）であるか否かを判定する。操作方向が第１の方向であると判定されたとき、処理がステップＳ２１１に進む。操作方向が第２の方向であると判定されたとき、処理がステップＳ２１２に進む。
【００８７】
レンズ制御部１１６は、ステップＳ２１１において、レンズ駆動部１０８を制御して回転検出部１２４で検出されるフォーカスリング１１８の操作量に応じた駆動量だけ、撮影レンズ１０６の第３群のレンズＧ３を長焦点側に駆動させる。同時に、レンズ制御部１１６は、通常状態用の収差情報に従ってレンズ駆動部１０８を制御して撮影レンズ１０６の第４群のレンズＧ４を駆動させ、第３群のレンズＧ３の移動に伴う収差の変動を補正する。また、レンズ制御部１１６は、ステップＳ２１２において、レンズ駆動部１０８を制御して回転検出部１２４で検出されるフォーカスリング１１８の操作量に応じた駆動量だけ、撮影レンズ１０６の第３群のレンズＧ３を短焦点側に駆動させる。同時に、レンズ制御部１１６は、通常状態用の収差情報に従ってレンズ駆動部１０８を制御して撮影レンズ１０６の第４群のレンズＧ４を駆動させ、第３群のレンズＧ３の移動に伴う収差の変動を補正する。
【００８８】
レンズ制御部１１６は、ステップＳ２１３において、撮像装置２００からの指示を受信したか否かを判定する。この指示は、例えばＡＦやズームのためのレンズ駆動の指示、及びマクロ撮影用ライトの発光指示等である。撮像装置２００からの指示を受信したと判定されたとき、処理がステップＳ２１４に進む。撮像装置２００からの指示を受信していないと判定されたとき、処理がステップＳ２０１に戻る。
【００８９】
レンズ制御部１１６は、ステップＳ２１４において、撮像装置２００からの指示に応じた制御を行う。例えば、レンズ駆動が指示されたとき、レンズ制御部１１６は、その指示に応じてレンズ駆動部１０８を制御してレンズ駆動を行う。また、マクロ撮影用ライト３００ｂの発光指示がされたとき、レンズ制御部１１６は、アクセサリ３００としてのマクロ撮影用ライト３００ｂに発光指示を行う。
【００９０】
レンズ制御部１１６は、ステップＳ２１５において、初期位置記憶部１１２から反転状態用の初期位置情報を読み取り、読み取った初期位置情報に従ってレンズ位置検出部１１０で検出されるレンズ位置を検出しながらレンズ駆動部１０８を制御することにより、第２群のレンズＧ２、第３群のレンズＧ３、及び第４群のレンズＧ４を初期位置に駆動する。前述したように、各群のレンズの初期位置は、例えば無限遠に合焦する位置とする。
【００９１】
レンズ制御部１１６は、ステップＳ２１６において、反転状態用の制御パラメータ（撮影レンズ１０６の焦点距離、Ｆナンバー、収差補正情報、シェーディング補正情報等）を撮像装置２００に送信する。
【００９２】
レンズ制御部１１６は、ステップＳ２１７において、アクセサリ情報を撮像装置２００に送信する。
【００９３】
レンズ制御部１１６は、ステップＳ２１８において、回転検出部１２２の出力から、ユーザによってフォーカスリング１１８が操作されたか否かを判定する。フォーカスリング１１８の操作がなされたと判定されたとき、処理がステップＳ２１９に進む。フォーカスリング１１８の操作がなされていないと判定されたとき、処理がステップＳ２２２に進む。
【００９４】
レンズ制御部１１６は、ステップＳ２１９において、操作方向が第１の方向（例えば反時計方向）であるか否かを判定する。操作方向が第１の方向であると判定されたとき、処理がステップＳ２２０に進む。操作方向が第２の方向であると判定されたとき、処理がステップＳ２２１に進む。
【００９５】
レンズ制御部１１６は、ステップＳ２２０において、レンズ駆動部１０８を制御して回転検出部１２２で検出されるフォーカスリング１１８の操作量に応じた駆動量だけ、撮影レンズ１０６の第２群のレンズＧ２を近距離側に駆動させる。また、レンズ制御部１１６は、ステップＳ２２１において、レンズ駆動部１０８を制御して回転検出部１２２の操作量に応じた駆動量だけ、撮影レンズ１０６の第２群のレンズＧ２を遠距離側に駆動させる。
【００９６】
このように、本実施形態では、フォーカスリング１１８の操作方向と第２群のレンズＧ２の駆動方向との関係を、通常状態と反転状態とで逆転させている。前述したように、交換レンズ１００が反転状態の場合には、第２群のレンズＧ２を近距離側に駆動させたときに遠距離の被写体に合焦するようになる。したがって、フォーカスリング１１８の回転方向と合焦の方向を通常状態と反転状態とで一致させることにより、ユーザは、交換レンズ１００が通常状態で装着されているか又は反転状態で装着されているかを考えずにフォーカスリング１１８を操作することが可能である。
【００９７】
レンズ制御部１１６は、ステップＳ２２２において、回転検出部１２４の出力から、ユーザによってズームリング１２０が操作されたか否かを判定する。ズームリング１２０の操作がなされたと判定されたとき、処理がステップＳ２２３に進む。ズームリング１２０の操作がなされていないと判定されたとき、処理がステップＳ２１３に進む。
【００９８】
レンズ制御部１１６は、ステップＳ２２３において、操作方向が第１の方向（例えば反時計方向）であるか否かを判定する。操作方向が第１の方向であると判定されたとき、処理がステップＳ２２４に進む。操作方向が第２の方向であると判定されたとき、処理がステップＳ２２５に進む。
【００９９】
レンズ制御部１１６は、ステップＳ２２４において、レンズ駆動部１０８を制御して回転検出部１２４で検出されるフォーカスリング１１８の操作量に応じた駆動量だけ、撮影レンズ１０６の第３群のレンズＧ３を短焦点側に駆動させる。同時に、レンズ制御部１１６は、通常状態用の収差情報に従ってレンズ駆動部１０８を制御して撮影レンズ１０６の第４群のレンズＧ４を駆動させ、第３群のレンズＧ３の移動に伴う収差の変動を補正する。また、レンズ制御部１１６は、ステップＳ２２５において、レンズ駆動部１０８を制御して回転検出部１２４で検出されるフォーカスリング１１８の操作量に応じた駆動量だけ、撮影レンズ１０６の第３群のレンズＧ３を長焦点側に駆動させる。同時に、レンズ制御部１１６は、通常状態用の収差情報に従ってレンズ駆動部１０８を制御して撮影レンズ１０６の第４群のレンズＧ４を駆動させ、第３群のレンズＧ３の移動に伴う収差の変動を補正する。
【０１００】
このように、本実施形態では、ズームリング１２０の操作方向と第３群のレンズＧ３及び第４群のレンズＧ４の駆動方向との関係を、通常状態と反転状態とで逆転させている。前述したように、交換レンズ１００が反転状態の場合には、第３群のレンズＧ３及び第４群のレンズＧ４を短焦点側に駆動させたときに倍率が大きくなる。したがって、ズームリング１２０の回転方向と倍率の変化方向を通常状態と反転状態とで一致させることにより、ユーザは、交換レンズ１００が通常状態で装着されているか又は反転状態で装着されているかを考えずにズームリング１２０を操作することが可能である。
【０１０１】
以上説明したように、本実施形態によれば、略円筒状のレンズ本体１００ａの、撮影レンズの撮影光軸に対して垂直な２つの面の両方に電気接点を形成している。これにより、リバースアダプタなしでも交換レンズ１００を反転状態で撮像装置２００に装着して簡単にマクロ撮影を行うことが可能である。また、特別なアダプタなしでも交換レンズ１００にアクセサリ３００を装着することも可能である。
【０１０２】
また、本実施形態によれば、交換レンズ１００が通常状態で撮像装置２００に装着されている場合と反転状態で撮像装置２００に装着されている場合とで異なる制御パラメータを撮像装置２００に送信するようにしている。これにより、撮像装置２００では、交換レンズ１００の装着状態に応じた最適なシェーディング補正、ＡＦ制御、手振れ補正といった各種の処理を行うことが可能である。
【０１０３】
また、本実施形態では、交換レンズ１００を通常状態で装着すべきか又は反転状態で装着すべきかを撮影距離に応じて判定し、撮影距離の条件に合致しない状態で交換レンズ１００が装着されている場合にユーザに警告している。これにより、ユーザは、交換レンズ１００の装着方向を誤ったとしてもそのことを容易に認識できる。
【０１０４】
以上実施形態に基づいて本発明を説明したが、本発明は上述した実施形態に限定されるものではなく、本発明の要旨の範囲内で種々の変形や応用が可能なことは勿論である。また、前述の各動作フローチャートの説明において、便宜上「まず」、「次に」等を用いて動作を説明しているが、この順で動作を実施することが必須であることを意味するものではない。
【０１０５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【０１０６】
１００…交換レンズ、１００ａ…レンズ本体、１０２，１０４…電気接点、１０６…撮影レンズ、１０８…レンズ駆動部、１１０…レンズ位置検出部、１１２…初期位置記憶部、１１４…レンズ特性記憶部、１１６…レンズ制御部、１１６ａ…判定部、１１８…フォーカスリング、１２０…ズームリング、１２２，１２４…回転検出部、１２６，１２８…通信部、２００…撮像装置、２０２…電気接点、２０４…撮像部、２０６…顔検出部、２０８…記録部、２１０…表示部、２１２…操作部、２１４…タッチパネル、２１６…制御部、２１６ａ…撮像制御部、２１６ｂ…画像処理部、２１６ｃ…記憶部、２１８…振動検出部、２２０…通信部、３００…アクセサリ、３００ａ…ＰＬフィルタ、３００ｂ…マクロ撮影用ライト、３０２…電気接点
【図１】
2014085525.tif 000003
【図２】
2014085525.tif 000004
【図３】
2014085525.tif 000005
【図４】
2014085525.tif 000006
【図５】
2014085525.tif 000007
【図６】
2014085525.tif 000008
【図７】
2014085525.tif 000009
【図８】
2014085525.tif 000010